(57)【特許請求の範囲】
【請求項１】
携帯型蒸発式冷却装置であって、
誘導ノズルと、
前記誘導ノズルに１次空気流を送るための１次通路と、
実質的に閉塞されず、周囲空気入口から前記誘導ノズルへと延長し、それによって、２次空気流が前記１次空気流によって２次通路を介して誘導され、前記１次空気流及び前記２次空気流が前記誘導ノズルから周囲空気へと排出される、２次通路と、
水の微細な噴霧を前記２次空気流へと放出するために、前記周囲空気入口に近接する前記２次通路内のアトマイザーと、
を含む、装置。
【請求項２】
前記１次通路及び前記２次通路は、第１ハウジングの実質的に不浸透の壁によって境界付けられる、請求項１に記載の装置。
【請求項３】
前記１次通路の少なくとも第１部分は、前記２次通路に縦に隣接する前記誘導ノズルから延長し、前記１次通路及び前記２次通路を分離する共有壁によって前記２次通路から分離される、請求項１に記載の装置。
【請求項４】
前記第１部分は、前記誘導ノズルに向かって収束する、請求項３に記載の装置。
【請求項５】
前記誘導ノズル及び前記アトマイザーは、前記２次通路の縦に対向する端部に近接して配置され、前記の入口は、前記誘導ノズルと前記アトマイザーとの間の前記２次通路の中心線の概略的に横断方向に配置される、請求項３に記載の装置。
【請求項６】
前記１次通路の第２部分は前記第１部分を接合し、前記第１部分は湾曲し、前記第２部分は直線状であり、前記２次通路は縦方向に湾曲し、前記誘導ノズルに隣接する前記２次通路の部分は、その全長にわたって略一定の断面部を有する、請求項４に記載の装置。
【請求項７】
前記誘導ノズル及び前記の入口は、前記２次通路の縦に対向する端部に近接して配置され、前記アトマイザーは、前記誘導ノズルと前記の入口との間に延長する前記２次通路の中心線の概略的に横断方向に配置される、請求項３に記載の装置。
【請求項８】
前記２次通路は、前記の空気入口から縦方向に延長する入口スロート部を含み、前記入口スロート部は、前記誘導ノズルに延長する拡大出口部を接合し、前記の出口部は、その全長にわたって略一定の断面を有する、請求項７に記載の装置。
【請求項９】
前記２次通路は、前記の空気入口から縦方向に延長する入口スロート部を含み、前記入口スロート部は、前記誘導ノズルに延長する拡大出口部を接合し、前記の出口部は、前記誘導ノズルに向かって縦方向に拡大する、請求項７に記載の装置。
【請求項１０】
前記２次通路は、前記共有壁によって一部境界付けられ、かつ、外部壁によって一部境界付けられ、その外部表面は、周囲空気にさらされる、請求項３に記載の装置。
【請求項１１】
前記２次通路は、前記共有壁によって完全に境界付けられ、前記共有壁は、チューブ状であり、かつ、外部壁内に配置され、これにより、前記１次通路は、前記共有壁を取り囲む、請求項３に記載の装置。
【請求項１２】
前記装置は、前記装置から取り外し可能な水タンクと、前記のタンクの上端において配置される通気口付き蓋と、を更に含み、前記アトマイザーは、前記のタンクの下端部において取り付けられる、請求項３に記載の装置。
【請求項１３】
出口流を前後に吹き飛ばすように、前記のノズルからの前記出口流に突出するために、前記の第１ハウジングに取り付けられるモータ駆動振動羽根を更に含む、請求項２に記載の装置。
【請求項１４】
前記の第１ハウジングに取り外し可能に連結される第２ハウジングを更に含み、前記第２ハウジングは、前記１次空気流を推進するためのファンと、前記アトマイザーに電力を供給するための手段とを含む、請求項２に記載の装置。
【請求項１５】
前記の第１ハウジングに取り外し可能に連結される第２ハウジングを更に含み、前記第２ハウジングは、前記１次空気流を推進するためのファンを固定するための掛止手段を含む、請求項２に記載の装置。
【請求項１６】
前記の第２ハウジングは、広端部から給気口と位置合わせして配置される狭端部へとテーパー付けする中空本体を含み、前記中空本体は、前記広端部と前記狭端部との間で軸方向にそれに応じて狭くなる空気通路を画定し、前記掛止手段は、前記広端部に配置される、請求項１５に記載の装置。
【請求項１７】
コードレスパーソナル蒸発式冷却装置であって、
誘導ノズルと、前記誘導ノズルに１次空気流を送るための１次通路と、周囲空気入口から前記誘導ノズルへ概略的に閉塞されない方法で延長し、それによって、２次空気流が前記１次空気流によって２次通路を介して誘導され、混合された１次及び２次空気流が前記誘導ノズルから周囲空気へと排出される、２次通路と、を画定する壁を有する第１ハウジングアセンブリと、
前記の第１ハウジングアセンブリから取り外し可能な水タンクと、
前記の水タンクの下端において取り付けられ、水の微細な噴霧を前記２次空気流へと放出するための前記の周囲空気入口に近接する前記２次通路に配置される、超音波アトマイザーと、
前記第１ハウジングアセンブリに取り外し可能に連結され、前記１次空気流を推進するためのファンと、前記超音波アトマイザーに電力を供給するための手段とを含む、第２ハウジングアセンブリと、
を含む、装置。
【請求項１８】
高分子材料で形成された前記壁は、実質的に不浸透であり、前記１次通路の少なくとも第１部分は、前記２次通路に縦に隣接する前記誘導ノズルから延長し、かつ、前記１次通路及び前記２次通路を分離する共有壁によって前記２次通路から分離される、請求項１７に記載の装置。
【請求項１９】
前記第１部分は、前記誘導ノズルに向かって収束する、請求項１８に記載の装置。
【請求項２０】
前記誘導ノズル及び前記のアトマイザーは、前記２次通路の縦に対向する端部に近接して配置され、前記の入口は、前記誘導ノズルと前記のアトマイザーとの間の前記２次通路の中心線の概略的に横断方向に配置される、請求項１８に記載の装置。
【請求項２１】
前記１次通路の第２部分は前記第１部分を接合し、前記第１部分は湾曲し、前記第２部分は直線状であり、かつ、前記タンクに隣接して延長し、前記２次通路は縦方向に湾曲し、前記誘導ノズルに隣接する前記２次通路の部分は、その全長にわたって略一定の断面を有する、請求項２０に記載の装置。
【請求項２２】
前記誘導ノズル及び前記の入口は、前記２次通路の縦に対向する端部に近接して配置され、前記のアトマイザーは、前記誘導ノズルと前記の入口との間に延長する前記２次通路の中心線の概略的に横断方向に配置される、請求項１７に記載の装置。
【請求項２３】
前記２次通路は、前記の空気入口から縦方向に延長する入口スロート部を含み、前記入口スロート部は、前記誘導ノズルに延長する拡大出口部を接合し、前記の出口部は、その全長にわたって略一定の断面を有する、請求項２２に記載の装置。
【請求項２４】
前記２次通路は、前記の空気入口から縦方向に延長する入口スロート部を含み、前記入口スロート部は、前記誘導ノズルに延長する拡大出口部を接合し、前記の出口部は、前記誘導ノズルに向かって縦方向に拡大する、請求項２２に記載の装置。
【請求項２５】
前記２次通路は、前記共有壁によって一部境界付けられ、かつ、外部壁によって一部境界付けられ、その外部表面は、周囲空気にさらされる、請求項１８に記載の装置。
【請求項２６】
前記２次通路は、前記共有壁によって完全に境界付けられ、前記共有壁は、チューブ状であり、かつ、外部壁内に配置され、これにより、前記１次通路は、前記共有壁を取り囲む、請求項１８に記載の装置。
【請求項２７】
出口流を前後に吹き飛ばすように、前記のノズルからの前記出口流に突出するために、前記第１ハウジングアセンブリに取り付けられるモータ駆動振動羽根を更に含む、請求項１８に記載の装置。
【発明の詳細な説明】
【技術分野】
【０００１】
本発明は、概して、蒸発式冷却原理を用いるパーソナル冷却装置に関する。
【背景技術】
【０００２】
当該技術分野では、例えば、ユーザの腰又は首まわりにぶら下げて携帯することができる自給型蒸発式パーソナル冷却装置が提供されることが公知である。そのような装置は、ウォーターミスター及び送風機を備え、そして、しばしば２段階の冷却効果を提供する。第１段階では、微細化されたウォーターミストのフラッシュ蒸発が、肌の上に吹く前に空気を冷却する。一方、第２段階では、肌に湿気を運ぶ空気流も、冷風効果（ｗｉｎｄ  ｃｈｉｌｌ  ｅｆｆｅｃｔ）のため、肌からこの湿気が蒸発する割合を増加させる。
【０００３】
米国特許第６３７１３８８号明細書は、ユーザの腰まわりに固定されるミスト送風機を開示している。このミスト送風機では、水の微細な噴霧が送風機の排気ノズルに隣接して提供され、これにより、空気及び水の噴霧の混合及び冷却が、ノズル出口の外部で主に生じる。しかしながら、そのような装置の出口がユーザの顔の近くに置かれる場合には、例えば、そのようにすることが冷却性能を損なわず、あるいは、ユーザに不快感を生じさせないことが利点である。
【０００４】
更に、そのようなコンパクトな自給型装置において、ファンは、一般的に電気モータ又はギアモータの出力軸に直接取り付けられ、それにより、その後の空気流が加湿及び冷却される前に、空気流の顕熱を引き起こすモータによる熱の損失が生じてしまう。
【０００５】
本発明の目的は、上記の欠点を実質的に改善又は克服することであり、あるいは、より概略的には、改良されたパーソナル蒸発式冷却装置を提供することである。
【発明の概要】
【０００６】
本発明の一態様によると、誘導ノズルと、１次空気流を誘導ノズルに送るための１次通路と、実質的に非閉塞で、周囲空気入口から誘導ノズルへと延長し、それによって、２次空気流が１次空気流によって２次通路を通って誘導され、１次及び２次空気流が誘導ノズルから外気へと排出される、２次通路と、水の微細な噴霧を２次空気流へと放出するために周囲空気入口に近接する２次通路におけるアトマイザーと、を備えるパーソナル蒸発式冷却装置が提供される。
【０００７】
好ましくは、１次及び２次通路は、第１ハウジングの実質的に不浸透の壁によって境界付けられている。壁は、硬質で、成形によるなど高分子材料で形成される。
【０００８】
好ましくは、１次通路の少なくとも第１部分は、２次通路に縦に隣接する誘導ノズルから延長し、１次及び２次通路を分離する共有壁によって２次通路から分離される。
【０００９】
好ましくは、第１部分は、誘導ノズルに向かって収束する。好ましくは、１次通路の第２部分は第１部分を接合し、第１部分は湾曲し、第２部分は、直線状で、タンクに隣接して延長する。
【００１０】
好ましくは、誘導ノズル及びアトマイザーは、２次通路の縦に対向する端部に配置され、入口は、誘導ノズルとアトマイザーとの間の２次通路の中心線の概略的に横断方向に配置される。
【００１１】
好ましくは、２次通路は、縦方向に湾曲され、誘導ノズルに隣接する２次通路の部分は、その全長にわたって略一定の断面を有する。
【００１２】
２次通路は、共有壁によって一部境界付けられ、外部壁によって一部境界付けられ、その外部表面は外気にさらされる。代替的に、２次通路は、共有壁によって完全に境界付けられ、共有壁は、チューブ状あり、かつ、外部壁内に配置され、これにより、１次通路は共有壁を取り囲む。
【００１３】
好ましくは、装置は、装置から取り外し可能な水タンクを更に備える。アトマイザーはタンクの下端に取り付けられ、通気口付き蓋はタンクの上端に配置される。タンクは、１次通路の第２部分に隣接して配置されたハウジングの凹部に収容される。タンクの壁を介して熱伝達を減少させるために、タンクは絶縁体によって実質的に取り囲まれ得る。例えば、タンクは、冷水を保持するための真空フラスコを備えることができる。
【００１４】
好ましくは、アトマイザーは超音波アトマイザーである。代替的に、ポンプ作動式スプレーアトマイザーなどの他の種類のアトマイザーを用いることができる。
【００１５】
モータ駆動式振動羽根は、出口流を前後に吹き飛ばす（ｓｗｅｅｐ）ように、ノズルからの出口空気流へと突出するために第１ハウジングに取り付けられる。
【００１６】
第２ハウジングアセンブリは、第１ハウジングアセンブリに取り外し可能に連結されることができ、第２ハウジングアセンブリは、１次空気流を推進するためのファンと、超音波アトマイザーに電力を供給するための手段とを備える。
【００１７】
本発明は、操作上の使用において効果的で効率的なパーソナル蒸発式冷却装置を提供する。当該装置は、製造コストを最小限にする全体的に簡単な形状に起因し、かつ、本質的なモジュール型の設計によって、経済的に構成され得る。本発明の縦の混合区域は、先行技術よりも明白な利点を有し、そこでは、空気及び水の噴霧の混合及び冷却がノズル出口の外部で生じ、ノズル自体の保護された環境よりもはるかに優れている。外部混合とは対照的に、内部混合の本質的な利点は、（１）周囲の風による分裂から混合区域を物理的に分離すること、（２）周囲の空気からの混合区域の熱的分離度合い、そして、（３）２次通路にわたる周囲空気及び水の噴霧をより均一に混合すること、といった点である。フラッシュ蒸発が入口近くで２次通路に対して開始され、誘導ノズルに達する時間までに大部分が完了するように、ノズルから近距離における冷却効果は、例えば、肌に過剰な湿気を付着させずに、ノズルをユーザの顔の近くに置くことを可能にする。更に、実質的に非閉塞の２次通路は、冷却性能を損なう可能性があるモータや他の加熱源を含まない。
【００１８】
本発明の好ましい形態は、添付の図面を参照して実施例によって説明され得る。
【図面の簡単な説明】
【００１９】
【図１】本発明の冷却装置の第１実施形態の概略断面図である。
【図２】図１における平面２−２に沿った概略断面図である。
【図３】図１の冷却装置の斜視図である。
【図４】本発明の冷却装置の第２実施形態を介した概略断面図である。
【図５】図４における平面５−５に沿った概略断面図である。
【図６】本発明の第２ハウジングモジュールの変形を介した概略断面図である。
【図７】本発明の冷却装置の第３実施形態の概略断面図である。
【図８】本発明の冷却装置の第４実施形態の概略断面図である。
【図９】本発明の冷却装置の第５実施形態の斜視図である。
【発明を実施するための形態】
【００２０】
図１及び図２を参照すると、蒸発式冷却機の第１実施形態は、（図示するように）直立状態のときに、個人の冷却のための混入した水滴及び冷気の略水平の出口流を出力する携帯型冷却装置でよい。装置は、手のひらに都合よく包まれるように人間工学的に設計された上部１１を有し、流れを誘導ノズル１２からユーザに戻って使用地点へと向かわせるように、ユーザが次いで装置全体を動かすことを可能にする。
【００２１】
ハウジング１０は、１次通路１３及び隣接する２次通路１４を画定するように、成形によって形成される高分子材料の硬質な実質的に不浸透の壁のアセンブリでよい。１次通路１３は、１次空気流１６を誘導ノズル１２へと送るために、給気口１５から誘導ノズル１２へと延長する。２次通路１４は、周囲空気入口１７から誘導ノズル１２へと延長する。
【００２２】
アトマイザー１８は、水タンク１９の底部付近の周囲空気入口１７に近接する２次通路１４に配置される。２次空気流へ水の微細な噴霧を放出するための超音波アトマイザーでよい。１次空気流１６は、２次通路１４を介した比較的小さな２次空気流を含む。入口１７付近で、誘導された２次空気流が水滴の微細な噴霧と混合され、入口１７付近で開始する２次空気流のフラッシュ蒸発及び関連した冷却は、空気が誘導ノズル１２に達するときまでに大部分が完了する。１次空気流及び２次空気流は、誘導ノズル１２を介して周囲空気へと一緒に排出され、使用地点に向けられる。
【００２３】
冷却装置は、モジュール型装置でよく、異なるモジュールへの接続のために用いられる。第１ハウジング１０は、第２モジュール２０に取り外し可能に連結され、例示目的でのみ、そのような第２ハウジング２０は図３に図示される。第２ハウジングモジュール２０は、１次空気流を推進するためのファン３５に着脱可能に連結され得る。第２ハウジングモジュール２０内のバッテリーパック３６は、電気接触子２１を介して超音波アトマイザー１８及びファン３５に電力を供給するために設けられ得る。それ故、これら３つのモジュール１０、２０、３５が接続されるとき、自給型で、携帯型の冷却装置が提供される。
【００２４】
図１及び図２に最も良く図示されるように、共有壁２３は、１次通路１３及び２次通路１４を分離することができる。１次通路１３は、第１部分２４を含む。第１部分２４は、２次通路１４に縦に隣接する誘導ノズル１２から延長し、誘導ノズル１２に向かって収束してノズルへの１次空気流を加速させる。第２部分２５は、第１部分２４と給気口１５との間に延長し、その全長にわたって略一定の断面を有する。第１部分２４は、湾曲される一方で、第２部分２５は、直線状でよく、タンク１９に隣接して配置され得る。それ故、１次空気流１６は、第１部分２４を介して湾曲する前に、第２部分２５を介した直線状の経路をたどる。
【００２５】
２次通路１４も縦方向において湾曲されるが、２次通路１４は、誘導ノズル１２との交差点に向かってテーパー付けされない。誘導ノズル１２に隣接する２次通路１４の部分は、その全長にわたって略一定の断面を有する。２次通路１４は、滑らかな内部表面を有することが好ましく、壁からの内部構成要素又は突出部によって実質的に閉塞されない。２次通路１４又はその上流に位置するモータがなければ、２次流の顕熱は装置内で発生しない。これは、２次通路１４を介する実質的な層流を促進させる。２次通路１４の湾曲した中心線２７は、誘導ノズル１２とアトマイザー１８との間で縦に延長する。入口１７は、中心線２７の概略的に横断方向に配置され、外部壁２９に単一の開口を含むことができる。冷却機のこの第１実施形態において、２次通路１４は、共有壁２３によって一方の側のみにおいて境界付けられ、通路１４の周辺の外部壁２９による他方の側は、周囲空気にさらされる。
【００２６】
誘導ノズル１２は、１次通路１３及び２次通路１４の壁と一体的に形成され、かつ、これらの通路からノズル１２へと空気流が円滑に搬送されるように形作られ得る。誘導ノズル１２は、その単一の出口に向かって収束し、その内部で共有壁２３が終了する。１次及び２次流は、混合されて出口から通過する単一流を形成する。出口は、平面に概略的に配置される縁２８を有することができる。従って、本発明の特徴が単一の空気流を生成する単一のノズル１２である一方で、入口１７及び給気口１５がハウジングの壁の隣接する開口を含むことができるということが理解されるだろう。
【００２７】
タンク１９は、共有壁２３と外部壁２９の延長部とによって境界付けられたハウジング１０内の凹部に摺動自在に収容されることができ、ハウジング１０、２０が分離されるときに容易な除去が可能となる。タンク１９は、モジュール型アセンブリでもあり、アトマイザー１８を含み、タンク１９に固定されるアトマイザー１８に電力を供給するために電気接触子２１も有する。通気口付き蓋（ｖｅｎｔｅｄ  ｌｉｄ）３０は、タンク１９の上端に配置される。ハウジング１０内の凹部にタンク１９が収容されると、タンク１９の下端３１が２次通路１４を境界付け、装置が直立状態であるとき、下端３１は２次通路１４の上方に配置される。
【００２８】
アトマイザー１８は、タンク１９の下端３１に固定され、重力が送られるようにする。噴霧するメッシュ、プレート又は膜の変形を生じさせるように圧電作動素子を含むことができる。水が微細なミストの形態で、縦及び下方に、概略的に流れるように、変形の軸は、中心線２７と概略的に整列することができる。適切なアトマイザーは、約２０マイクロ以下の範囲の平均的なサイズの水滴を生成する。多数のアトマイザー１８は、入口１７に隣接する２次通路１４に配置され得る。
【００２９】
使用のために、冷却装置を含むモジュールは、第１ハウジング１０を最下部にして、互いに積み重ねられる。タンク１９は、配置された状態で水が充填されるか、あるいは、選択的に除去されて、充填され、次いで第１ハウジング１０の上部に押し込まれる。第１ハウジング１０は片手で保持することができ、第２ハウジングはそれに積み重ねられて連結される。ハウジング１０、２０のこのアセンブリは、次いで、適切な空気供給に接続されるか、あるいは、アセンブリの上に有利に積み重ねられるファン３５などの空気流を推進させるための装置に接続され得る。それ故、モジュールは、軽量で、コンパクトで、ユーザに近接して冷却空気流を向けるために人間工学的に配置された、自給型で、携帯型の冷却装置を提供するように接続する。
【００３０】
冷却装置の第２実施形態は、図４及び図５に示される。外面的には似ているが、１次通路１１３及び２次通路１１４、そして誘導ノズル１１２の形状の点で第１実施形態とは異なる。誘導ノズル１１２の外部に素早く出力することは、成層度を含むことができる一方で、ノズル内で発生する１次空気流と２次空気流との間における限定的な混合に起因して、より大きな内部混合度がこの誘導ノズル１１２内で達成される。半乱流（ｓｅｍｉ−ｔｕｒｂｕｌｅｎｔ）の外部の１次空気流による層流内部２次空気流を取り囲むことによって、誘導ノズル１１２内で混合が促進される。１次通路１１３及び２次通路１１４を分離する共有壁１２３は、チューブ形状を有し、その内部は、２次通路１１４が延長する。一方で、１次通路１１３は、共有壁１２３の外部、外部壁１２９内部にある。それ故、共有壁１２３の周辺を流れるように分割される前に、１次空気流１６ａは、最初は第２部分２５を介して直線経路をたどる。この分割された１次流の部分は、図４の矢印１６ｂ及び１６ｃで示される。第１の流れ部分１６ｂは、鋭く曲がり、かつ、誘導ノズル１１２に向かって収束する１次通路１１３の一部にすぎない。１次流１６ｃの残りの部分は、中心線２７を横断方向に通過し、ノズル１１２に向かってより徐々に曲がる。
【００３１】
図４も、第２ハウジングモジュール２０及び１次空気流を推進するためのファン３５の例示的な配置を概略的に図示している。ファン３５は、ケージ４２内部に収容されたブレード４１を回転させる回転電動モータ４０を含む軸流ファンでよい。
【００３２】
第２ハウジングモジュール２０は、成形高分子中空本体でよい。成形高分子中空本体は、ファン３５に取り付けられる広端部からハウジング１０に取り付けられる狭端部へとテーパー付けされる。内部では、空気通路４３が広端部と狭端部との間で軸方向に対応して狭まり、給気口１５と位置合わせして配置される。ケージ４２の周辺を係合し、それによってファン３５を第２ハウジングモジュール２０へと掛止するために、広端部におけるフランジ４４は、ヒンジ４６によってフランジ４６に接続される掛け金４５を備える。内部で成形される蝶番で連結されるか、あるいは、スナップ式の要素（図示しない）などの掛止機構は、第２ハウジングモジュール２０がハウジング１０に容易に接続され、かつ、ハウジング１０から外れることを可能にする。第２ハウジングモジュール２０は、ファン３５及び超音波アトマイザー１８に電力を供給するためのバッテリーパック３６も保持する。アトマイザー１８及びファン３５の作動は、ユーザが操作できるオン／オフスイッチ３８及び制御回路３７によって制御され得る。制御回路３７は、空気通路４３に配置される空気圧スイッチ１３８も含んでファン３５の動作を示す信号を提供することができる。それ故、制御回路３７は、空気流が２次通路１１４に誘導されるときのみ、アトマイザー１８を制御して動作することができる。空気圧スイッチ１３８は、オン／オフスイッチ３８を取り替えることができ、特にこれは、ファン３５が別の電源によって電力供給され、これにより、アトマイザー１８は空気流によって作動される実施形態に特に適している。
【００３３】
代替的に、空気流マイクロプロセッサコントローラ（ｐｓｙｃｈｒｏｍｅｔｒｉｃ  ｍｉｃｒｏｐｒｏｃｅｓｓｏｒ  ｃｏｎｔｒｏｌｌｅｒ）（図示しない）は、ユーザの要求及び周囲状況に応じてアトマイザー１８を制御するために提供され得る。コントローラは、ファン速度及び装置内の圧力差異だけでなく、異なる地点における１次及び／又は２次空気流の乾湿バルブ温度も感知するためのセンサに反応することができ、かつ、ファン速度及びアトマイザー１８の起動を制御することができる。空気流マイクロプロセッサコントローラを提供する利点は、適量のウォーターミストがユーザの要求及び周囲状況に応じて生成され、それにより、空気の過剰な加湿を防ぐことができるという点である。
【００３４】
第２ハウジング１２０の変形は、図６に図示されている。ファン１３５が内部に取り付けられ、それにより、２つのモジュール１０、１２０だけを自給型で、携帯型の冷却装置を提供するように接続する必要がある。
【００３５】
図７及び図８は、冷却装置の第３及び第４実施形態を図示しており、特に、２次通路２１４、３１４の更に好ましい代替的な形態を示している。両実施形態において、周囲空気入口１１７及び誘導ノズル２１２、３１２は、中心線１２７、２２７を有する２次通路２１４、３１４の縦に対向する端部において概略的に配置される。アトマイザー１８は、タンク１１９の下側、タンク１１９の基部８０の上方、そして、中心線１２７、２２７の概略的に横断方向に配置される。周囲空気入口１１７は、基部８０の下方に位置する。２次通路２１４、３１４は、入口１７から縦方向に延長する、入口スロート部（ｉｎｌｅｔ  ｔｈｒｏａｔ  ｐｏｒｔｉｏｎ）８１、１８１を基部８０の下方に含む。基部８０は、誘導ノズル２１２、３１２に延長する拡大された出口部８２、１８２を接合する。このように、入口スロート部８１が出口部８２、１８２に合流する２次通路２１４、３１４の両方に、ドッグレッグ（ｄｏｇｌｅｇ）が設けられる。
【００３６】
図７に図示するように、２次通路２４１において、誘導ノズル２１２に隣接する２次通路２１４の出口部８２は、その全長にわたって略一定の断面部を有する。この配置と共に、入口１１７での空気流方向における急激な変更を防ぐことによって、低圧損失に起因して、ファン全体の所定の圧力上昇のために、２次通路２１４を介した、結果的にはノズル２１２からのより大きな空気流量（ｇｒｅａｔｅｒ  ａｉｒ  ｆｌｏｗｒａｔｅ）が得られる。
【００３７】
図８を参照すると、２次通路３１４は、入口１１７と誘導ノズル３１２との間で縦方向に分岐し、誘導ノズル３１２は同じく分岐する。この分岐配置は、低減された流れ制限のために、ファン全体の所定の圧力上昇に対するより大きな容量の流量（ｈｉｇｈｅｒ  ｖｏｌｕｍｅｔｒｉｃ  ｆｌｏｗｒａｔｅ）を生成することもできる。このより大きな容量の流量は、２次通路の内部壁において形成された凝縮を低下させるという点において、有利であるということが分かった。
【００３８】
図９を参照すると、振動羽根５０は、出口流を前後に吹き飛ばすように、ノズル１２、１１２からの出口流に突出するために、第１ハウジング１０に取り付けられ得る。羽根５０は、ノズルの外部表面に相補的な表面を有する羽根部５３を含み、これにより、ノズル出口に隣接して前後に揺動することができる。羽根部５３と一体的であり、反対側から延長するのは、脚部５２である。羽根部５３及び脚部５２は、概略的にＵ字形状の羽根５０を形成する。羽根５０は、第１ハウジング１０に固定される同軸ピボット５１によって吊り下げられて、揺動軸を画定する。図示したように、装置が直立状態であるとき、揺動軸は略水平である。脚部５２のうちの１つの先端は、リンク（図示しない）を介して回転モータ５５によって回転される偏心輪（ｅｃｃｅｎｔｒｉｃ）５４に固定され、このように、この回転揺動機構（ｃｒａｎｋ  ａｎｄ  ｒｏｃｋｅｒ  ｍｅｃｈａｎｉｓｍ）又は四節リンク（ｆｏｕｒ  ｂａｒ  ｌｉｎｋａｇｅ）は、振動動作を駆動するように使用され得る。
【００３９】
本発明の態様は、例としてのみ説明されてきて、変更及び追加が本発明の範囲を逸脱することなく行われるということが諒解されるべきである。
【符号の説明】
【００４０】
１０  第１ハウジング
１１  上部
１２  誘導ノズル
１３  １次通路
１４  ２次通路
１５  給気口
１６  １次空気流
１６ａ  １次空気流
１６ｂ  第１の流れ部分
１６ｃ  1次流
１７  周囲空気入口
１８  （超音波）アトマイザー
１９  タンク
２０  第２ハウジング
２１  電気接触子
２３  共有壁
２４  第１部分
２５  第２部分
２７  中心線
２８  縁
２９  外部壁
３０  通気口付き蓋
３１  下端
３５  ファン
３６  バッテリーパック
３７  制御回路
３８  オン／オフスイッチ
４０  回転電動モータ
４１  ブレード
４２  ケージ
４３  空気通路
４４  フランジ
４５  掛け金
４６  ヒンジ
５０  振動羽根
５１  同軸ピボット
５２  脚部
５３  羽根部
５４  偏心輪
５５  回転モータ
８０  基部
８１  入口スロート部
８２  出口部
１１２  誘導ノズル
１１３  １次通路
１１４  ２次通路
１１７  周囲空気入口
１１９  タンク
１２０  第２ハウジング
１２３  共有壁
１２７  中心線
１２９  外部壁
１３５  ファン
１３８  空気圧スイッチ
１８１  入口スロート部
１８２  出口部
２１２  誘導ノズル
２１４  ２次通路
２２７  中心線
２４１  ２次通路
３１２  誘導ノズル
３１４  ２次通路
【図１】
0006649039.tif 000002
【図２】
0006649039.tif 000003
【図３】
0006649039.tif 000004
【図４】
0006649039.tif 000005
【図５】
0006649039.tif 000006
【図６】
0006649039.tif 000007
【図７】
0006649039.tif 000008
【図８】
0006649039.tif 000009
【図９】
0006649039.tif 000010